(57)【特許請求の範囲】
【請求項１】
撮影光学系の光軸に直交する方向の成分を持つように移動可能に設けられた可動部材と、
前記可動部材を駆動する駆動部と、
前記光軸に進入した使用位置と前記光軸から退避した収納位置との間で前記可動部材に対して相対移動できるように前記可動部材に支持された第１レンズ群と、
前記光軸方向に移動可能に設けられ、前記第１レンズ群が前記収納位置に移動した状態で、前記光軸に直交する方向において前記第１レンズ群と重なる位置まで移動する第２レンズ群と、
前記第１レンズ群の前記光軸と直交する面内における基準位置の補正情報が記録された補正情報記録部と、
を備えるレンズ鏡筒。
【請求項２】
請求項１に記載のレンズ鏡筒において、
前記補正情報記録部はフレキシブルプリント基板であり、
前記補正情報は、前記フレキシブルプリント基板に形成された配線の切断パターンにより前記フレキシブルプリント基板に記録されていることを特徴とするレンズ鏡筒。
【請求項３】
請求項１又は請求項２に記載のレンズ鏡筒において、
前記補正情報記録部は、前記レンズ鏡筒が装着されるカメラボディ側に設けられる情報取得装置に対して前記補正情報を提供すること
を特徴とするレンズ鏡筒。
【請求項４】
撮影光学系の光軸に直交する方向の成分を持つように移動可能に設けられた可動部材と、
前記可動部材を駆動する駆動部と、
前記光軸に進入した使用位置と前記光軸から退避した収納位置との間で前記可動部材に対して相対移動できるように前記可動部材に支持された第１レンズ群と、
前記光軸方向に移動可能に設けられ、前記第１レンズ群が前記収納位置に移動した状態で、前記光軸に直交する方向において前記第１レンズ群と重なる位置まで移動する第２レンズ群と、
前記第１レンズ群の前記光軸と直交する面内における基準位置の補正情報が記録された補正情報記録部と、
前記補正情報記録部に記録された前記補正情報に基づいて前記駆動部を制御する制御部と
を備えるカメラシステム。
【請求項５】
請求項４に記載のカメラシステムにおいて、
前記補正情報記録部はフレキシブルプリント基板であり、
前記補正情報は、前記フレキシブルプリント基板に形成された配線の切断パターンにより前記フレキシブルプリント基板に記録されていることを特徴とするカメラシステム。
【請求項６】
請求項４又は請求項５に記載のカメラシステムにおいて、
前記撮影光学系によって結像される被写体像に応じて画像信号を出力する撮像部を備え、
前記補正情報記録部に記録された前記補正情報は、前記撮像部の出力に基づいて生成されること
を特徴とするカメラシステム。
【請求項７】
撮影光学系の光軸に直交する方向の成分を持つように移動可能に設けられた可動部材と、
前記可動部材を駆動する駆動部と、
前記光軸に進入した使用位置と前記光軸から退避した収納位置との間で前記可動部材に対して相対移動できるように前記可動部材に支持された第１レンズ群と、
前記光軸方向に移動可能に設けられ、前記第１レンズ群が前記収納位置に移動した状態で、前記光軸に直交する方向において前記第１レンズ群と重なる位置まで移動する第２レンズ群と、
を備えるレンズ鏡筒の調整に用いられるレンズ鏡筒調整装置において、
前記レンズ鏡筒が結像する被写体像に応じて画像信号を出力する撮像部と、
前記レンズ鏡筒の前記駆動部を制御して前記第１レンズ群を変位させながら前記撮像部が出力する画像信号を評価し、前記第１レンズ群の前記光軸と直交する面内における基準位置の補正情報を生成する補正情報生成部と、
前記補正情報生成部が出力する前記補正情報を記録する記録部と
を備えることを特徴とするレンズ鏡筒調整装置。
【発明の詳細な説明】
【技術分野】
【０００１】
本発明は、ブレ補正光学系及び収納時に光軸上から退避する退避光学系を備えたレンズ鏡筒及びカメラシステム、並びに、このようなレンズ鏡筒の調整装置に関するものである。
【背景技術】
【０００２】
カメラの撮影用レンズ鏡筒として用いられる沈胴式のレンズ鏡筒は、収納時の全長をより短縮するため、複数のレンズ群のうち一部のレンズ群を、鏡胴に固定された回転軸回りに回転移動（スライド）させて光軸と直交する方向に退避させ、これによって形成された空間部内に他のレンズ群を収容するようにしたものが知られている（例えば、特許文献１）。
【０００３】
一方、カメラの撮影用レンズ鏡筒は、光学式のブレ補正装置を備えたものが知られている。ブレ補正装置は、光学系に加わった振動を角速度センサ等によって検出し、この振動に応じて複数のレンズ群のうち一部のレンズ群（ブレ補正レンズ群）を光軸と直交する面内で駆動することによって、結像面における像ブレを低減するものである。
【０００４】
また、レンズ群を光軸上から退避させるレンズ鏡筒は、この退避に用いられる機構部等の精度に起因して芯ずれが発生する場合があるから、芯ずれを低減するためにレンズ群を光軸と直交する方向にシフト変位させる調心機構を設けたものが知られている（例えば、特許文献２）。
しかし、調心機構は、これを設けることによって部品点数が増加して構造が複雑となり、特にブレ補正装置を備えたレンズ鏡筒の場合には設置スペースの確保も困難である。
【特許文献１】特開２００３−３１５８６１号公報
【特許文献２】特開２００４−２３３９２２号公報
【発明の開示】
【発明が解決しようとする課題】
【０００５】
本発明の課題は、ブレ補正光学系及び退避光学系を備えかつその調整を簡単な構造によって行うことができるレンズ鏡筒及びカメラシステム、並びに、このようなレンズ鏡筒を調整するレンズ鏡筒調整装置を提供することである。
【課題を解決するための手段】
【０００６】
本発明は、以下のような解決手段により、前記課題を解決する。
請求項１の発明は、撮影光学系の光軸に直交する方向の成分を持つように移動可能に設けられた可動部材と、前記可動部材を駆動する駆動部と、前記光軸に進入した使用位置と前記光軸から退避した収納位置との間で前記可動部材に対して相対移動できるように前記可動部材に支持された第１レンズ群と、前記光軸方向に移動可能に設けられ、前記第１レンズ群が前記収納位置に移動した状態で、前記光軸に直交する方向において前記第１レンズ群と重なる位置まで移動する第２レンズ群と、前記第１レンズ群の前記光軸と直交する面内における基準位置の補正情報が記録された補正情報記録部とを備えるレンズ鏡筒である。
【０００７】
請求項２の発明は、請求項１に記載のレンズ鏡筒において、前記補正情報記録部はフレキシブルプリント基板であり、前記補正情報は、前記フレキシブルプリント基板に形成された配線の切断パターンにより前記フレキシブルプリント基板に記録されていることを特徴とするレンズ鏡筒である。
請求項３の発明は、請求項１又は請求項２に記載のレンズ鏡筒において、前記補正情報記録部は、前記レンズ鏡筒が装着されるカメラボディ側に設けられる情報取得装置に対して前記補正情報を提供することを特徴とするレンズ鏡筒である。
【０００８】
請求項４の発明は、撮影光学系の光軸に直交する方向の成分を持つように移動可能に設けられた可動部材と、前記可動部材を駆動する駆動部と、前記光軸に進入した使用位置と前記光軸から退避した収納位置との間で前記可動部材に対して相対移動できるように前記可動部材に支持された第１レンズ群と、前記光軸方向に移動可能に設けられ、前記第１レンズ群が前記収納位置に移動した状態で、前記光軸に直交する方向において前記第１レンズ群と重なる位置まで移動する第２レンズ群と、前記第１レンズ群の前記光軸と直交する面内における基準位置の補正情報が記録された補正情報記録部と、前記補正情報記録部に記録された前記補正情報に基づいて前記駆動部を制御する制御部とを備えるカメラシステムである。
【０００９】
請求項５の発明は、請求項４に記載のカメラシステムにおいて、前記補正情報記録部はフレキシブルプリント基板であり、前記補正情報は、前記フレキシブルプリント基板に形成された配線の切断パターンにより前記フレキシブルプリント基板に記録されていることを特徴とするカメラシステムである。
請求項６の発明は、請求項４又は請求項５に記載のカメラシステムにおいて、前記撮影光学系によって結像される被写体像に応じて画像信号を出力する撮像部を備え、前記補正情報記録部に記録された前記補正情報は、前記撮像部の出力に基づいて生成されることを特徴とするカメラシステムである。
【００１０】
請求項７の発明は、撮影光学系の光軸に直交する方向の成分を持つように移動可能に設けられた可動部材と、前記可動部材を駆動する駆動部と、前記光軸に進入した使用位置と前記光軸から退避した収納位置との間で前記可動部材に対して相対移動できるように前記可動部材に支持された第１レンズ群と、前記光軸方向に移動可能に設けられ、前記第１レンズ群が前記収納位置に移動した状態で、前記光軸に直交する方向において前記第１レンズ群と重なる位置まで移動する第２レンズ群と、を備えるレンズ鏡筒の調整に用いられるレンズ鏡筒調整装置において、前記レンズ鏡筒が結像する被写体像に応じて画像信号を出力する撮像部と、前記レンズ鏡筒の前記駆動部を制御して前記第１レンズ群を変位させながら前記撮像部が出力する画像信号を評価し、前記第１レンズ群の前記光軸と直交する面内における基準位置の補正情報を生成する補正情報生成部と、前記補正情報生成部が出力する前記補正情報を記録する記録部とを備えることを特徴とするレンズ鏡筒調整装置である。
【発明の効果】
【００１１】
本発明によれば、光軸と直交する面内で駆動されるブレ補正光学系の基準位置を補正することによって、専用の調心機構等を付加することなくレンズ鏡筒の調整を行えるから、その構造を簡素化することができる。
【発明を実施するための最良の形態】
【００１２】
本発明は、ブレ補正光学系及び退避光学系を備えかつその調整を簡単な構成によって行うことができるレンズ鏡筒等を提供するという目的を、最良の画質が得られるブレ補正レンズ群のシフト量に基づいて補正情報を生成し、この補正情報に基づいてブレ補正レンズ群のセンター位置を設定することによって解決した。
【実施例１】
【００１３】
以下、本発明の実施例１であるカメラシステムについて説明する。
実施例１のカメラシステムは、例えばデジタルスチルカメラであって、光学式のブレ補正装置を有するレンズ鏡筒を備えたものである。
図１は、実施例１のレンズ鏡筒のワイド端側における撮影状態（使用状態）を示す断面図である。図２は、レンズ鏡筒のテレ端における撮影状態を示す断面図である。図３は、図１のIII−III部矢視図である。
【００１４】
レンズ鏡筒１００は、撮影用レンズ群として例えば４群構成の多群ズームレンズを備えるものであって、この撮影用レンズ群は、撮影状態における光軸Ｉ方向対物側から順に第１レンズ群Ｌ１、第２レンズ群Ｌ２、ブレ補正レンズ群（第３レンズ群）Ｌ３、第４レンズ群Ｌ４を備えている。
第１レンズ群Ｌ１及び第２レンズ群Ｌ２は、それぞれ光軸Ｉ方向に移動することによって撮影用レンズ群の焦点距離を変化させるズーミング用レンズ群であり、それぞれ円環状のレンズ枠を有する第１レンズ群室１０、第２レンズ群室２０に固定されている。
なお、ブレ補正レンズ群Ｌ３、第４レンズ群Ｌ４もズーミング用レンズとして機能し、光軸Ｉ方向に移動する。
【００１５】
ブレ補正レンズ群Ｌ３は、レンズ鏡筒１００に加わった振動に応じて光軸Ｉと略直交する面内でシフト変位することによって、結像面における像ブレを低減させるものであって、円環状のレンズ枠を有するブレ補正レンズ群室３０に固定され、このブレ補正レンズ群室３０は、後述するブレ補正ユニット２００の振動枠２１０に支持されている。
ここで、ブレ補正レンズ群Ｌ３以外のレンズ群Ｌ１，Ｌ２，Ｌ４は、このような変位を行なわず、光軸Ｉに対する位置が固定された固定光学系となっている。
【００１６】
第４レンズ群Ｌ４は、その光軸Ｉ方向の移動によって撮影用レンズ群の撮影距離（焦点位置）を変更するフォーカシング用レンズ群であって、円環状のレンズ枠を有する第４レンズ群室４０に固定されている。
また、第４レンズ群室４０は、図示しないフォーカシング機構を用いて、公知のＡＦ制御によって光軸Ｉ方向に駆動されるようになっている。
【００１７】
また、レンズ鏡筒１００は、シャッタユニット５０、ＣＣＤ６０、ローパスフィルタ（ＬＰＦ）７０を備えている。
シャッタユニット５０は、ブレ補正レンズ群Ｌ３の入射側に設けられ、複数のプラスチック薄片によって構成されたシャッタ部を備え、ＣＣＤ６０への露光量を調節するものである。
ＣＣＤ６０は、撮影用レンズ群が結像した画像を電気的な信号に変換して出力する固体撮像素子であって、第４レンズ群Ｌ４の射出側に設けられている。
ＬＰＦ７０は、撮像画像上におけるモアレの発生を防止するために設けられる光学式のものであって、第４レンズ群Ｌ４とＣＣＤ６０との間に配置されている。
【００１８】
さらに、レンズ鏡筒１００は、第１レンズ群筒１１０、第２レンズ群保持枠１２０、ブレ補正レンズ群保持枠１３０、固定筒１５０、第１カム筒１６０、第２カム筒１７０、直進キー１８０、ＣＣＤ台１９０を備えている。
【００１９】
第１レンズ群筒１１０は、略円筒状に形成され、その内径側に第１レンズ群室１０が固定されている。第１レンズ群筒１１０は、第２カム筒１７０の内径側に挿入され、この第２カム筒１７０との間に形成されるカム機構によって、レンズ鏡筒１００の撮影状態と収納状態との間の移行時、及び、焦点距離の変更時に光軸Ｉ方向に移動可能であり、図１及び図２に示すように、撮影状態においてはレンズ鏡筒１００の対物側の先端部を構成するものである。
【００２０】
また、第１レンズ群筒１１０は、ガイド部材１１１、レンズバリアユニット１１２を備えている。
ガイド部材１１１は、後述するブレ補正ユニット２００の振動枠２１０を案内する案内部であって、第１レンズ群筒１１０の対物側の端面における第１レンズ群Ｌ１の外径側の領域から、光軸Ｉ方向像側に突き出して形成され、その先端側（光軸Ｉ方向像側）に近づくにつれて徐々に細くなるようにテーパ状に形成されている。このガイド部材１１１による案内動作については後に説明する。
【００２１】
レンズバリアユニット１１２は、第１レンズ群Ｌ１の対物側に設けられ、レンズ鏡筒１００の収納時に第１レンズ群Ｌ１の入射側の面部を保護するものであって、バリア１１３、バリア駆動リング１１４、バリア受け板１１５、バリアカバー１１６を備えている。
レンズバリアユニット１１２は、第１レンズ群筒１１０の対物側の端部に固定されている。
【００２２】
第２レンズ群保持枠１２０は、第２レンズ群室２０の外径側に装着された枠体であって、第１レンズ群筒１１０の内径側に挿入され、第１カム筒１６０との間に形成されるカム機構によって、レンズ鏡筒１００の撮影状態と収納状態との間の移行時、及び、焦点距離の変更時に、第１レンズ群筒１１０とは独立して光軸Ｉ方向に移動可能となっている。
ここで、第２レンズ群室２０は、その外周面部につば状に突き出して形成されたフランジ部を有し、このフランジ部をナット２１によって第２レンズ群保持枠１２０に締結されている。また、このフランジ部のナット２１に対する反対側の面部には、第２レンズ群Ｌ２の位置を微調整するための調整ワッシャ２２が備えられている。
【００２３】
ブレ補正レンズ群保持枠１３０は、ブレ補正レンズ群Ｌ３及びブレ補正レンズ群室３０を含むブレ補正ユニット２００を保持する枠体であって、第１レンズ群筒１１０の内径側に挿入され、第１カム筒１６０との間に形成されるカム機構によって、レンズ鏡筒１００の撮影状態と収納状態との間の移行時において、光軸Ｉ方向に移動可能となっている。
【００２４】
固定筒１５０は、図示しないカメラのボディ側に固定されるレンズ鏡筒１００の基部であって、略円筒状に形成され、レンズ鏡筒１００の最外径側に配置されている。
第１カム筒１６０、第２カム筒１７０は、それぞれ円筒状に形成され、図示しない連動機構によって、固定筒１５０に対して光軸I回りに回転可能となっている。
第１カム筒１６０は、固定筒１５０の内径側に挿入され、その外周面部に固定筒１５０の内周面に形成されたカム溝に挿入されるカムフォロワが形成され、内周面部に第２レンズ群保持枠１２０及びブレ補正レンズ群保持枠１３０にそれぞれ形成されたカムフォロワが挿入されるカム溝が形成されている。
第２カム筒１７０は、第１カム筒１６０のさらに内径側に挿入され、その内径側には第１レンズ群筒１１０が挿入されている。第２カム筒１７０は、その内周面に第１レンズ群筒１１０の外径側に形成されたカムフォロワが挿入されるカム溝が形成されている。
【００２５】
直進キー１８０は、第１レンズ群筒１１０、第２レンズ群保持枠１２０、ブレ補正レンズ群保持枠１３０を、第１カム筒１６０及び第２カム筒１７０の回転に関わらず固定筒１５０に対して光軸I方向に直進案内するものである。
ＣＣＤ台１９０は、固定筒１５０の光軸Ｉ方向像側の端部に固定され、その開口端を閉塞する面部であって、ＣＣＤ６０及びＬＰＦ７０が固定されるものである。
【００２６】
ブレ補正ユニット２００は、振動枠２１０、ボイスコイルモータ（ＶＣＭ）２２０、位置検出器２３０、ブレ補正ユニットカバー２４０、フレキシブルプリント基板（ＦＰＣ）２５０を備えている。
【００２７】
振動枠２１０は、ブレ補正レンズ群保持枠１３０の光軸Ｉ方向像側の面部に備えられ、ブレ補正レンズ群保持枠１３０に対して、光軸Ｉと直交する面内を平行移動可能に支持されている。また、振動枠２１０は、公知のブレ補正制御によって、光軸Ｉと直交する面内で駆動される被駆動部材である。
この振動枠２１０は、その外周縁部を凹ませて形成され、上述したガイド部材１１１が挿入される凹部２１０ａが設けられている。
また、振動枠２１０は、回転軸２１１、バネ２１２、回転止め２１３を備えている。
回転軸２１１は、振動枠２１０の光軸Ｉ方向像側の面部から突き出して形成されたピン状の部分であって、ブレ補正レンズ群室３０の外径側に突き出して形成されたアーム部３１の先端部を回転可能に軸支するものである。この回転軸２１１の中心軸は、光軸Ｉと略平行に配置されている。また、回転軸２１１は、通常撮影時における光軸Ｉの斜め上方に配置されている。
なお、本明細書において、通常撮影時とは、光軸Ｉ及び画面の長辺方向を略水平として撮影する際の状態を指すものとする。
【００２８】
バネ２１２は、回転軸２１１とブレ補正レンズ群室３０との接続部に設けられ、ブレ補正レンズ群室３０を、振動枠２１０に対して回転軸２１１回りの所定の方向（本実施例の場合には光軸Ｉ方向像側から見て時計回り）に回転付勢するものである。
回転止め２１３は、振動枠２１０の表面から突き出して形成された凸部であって、ブレ補正レンズ群室３０の外径側でありかつアーム部３１とは光軸に対して略対称に配置された突起部３２と当接することによって、バネ２１２の付勢力によるブレ補正レンズ群室３０の回転を規制するものである。
【００２９】
また、ブレ補正レンズ群室３０は、回転軸２１１との接続部において、回転軸２１１の周回りに形成されたカム面部３４が設けられている。このカム面部３４は、回転軸２１１の長手方向に沿った高さが回転軸２１１の周回りの角度に応じて連続的に変化するものであって、ブレ補正レンズ群室３０は、レンズ鏡筒１００が撮影状態から収納状態に移行する際に、ＣＣＤ台１９０に固定されたピン３３によってこのカム面部３４を押圧されることによって回転軸２１１回りに回転するようになっている。
【００３０】
ＶＣＭ２２０は、図示しないブレ補正制御部からの制御信号に応じて振動枠２１０を光軸Ｉと直交する方向に駆動するアクチュエータであって、図１、図２に示すように、コイル２２１、マグネット２２２、ヨーク２２３，２２４を備えている。
コイル２２１は、振動枠２１０に固定されている。
マグネット２２２は、ブレ補正レンズ群保持枠１３０に固定され、コイル２２１と対向して配置された永久磁石である。
ヨーク２２３は、マグネット２２２のコイル２２１とは反対側の面部に固定されている。
ヨーク２２４は、振動枠２１０の光軸Ｉ方向像側に配置され、ブレ補正レンズ群保持枠１３０に対して固定されたブレ補正ユニットカバー２４０に固定され、コイル２２１のマグネット２２２側とは反対側の面部に対向して配置されている。
【００３１】
本実施例において、ブレ補正ユニット２００は、レンズ鏡筒１００のピッチング、ヨーイングにそれぞれ対応したブレ補正を行うものであり、ＶＣＭ２２０は、ピッチング、ヨーイングに対して振動枠を駆動するものがそれぞれ設けられる。以下、ピッチング用、ヨーイング用のものにはそれぞれ符号に添字Ｐ，Ｙを付して説明する。（後に説明する位置検出器２３０においても同じ）
図３に示すように、ＶＣＭ２２０Ｐは、通常撮影時における光軸Ｉの下側に配置されている。また、ＶＣＭ２２０Ｙは、通常撮影時における光軸Ｉの側方であって、ＶＣＭ２２０Ｐに対して光軸Ｉ回りの角度において９０°離間した位置に配置されている。
【００３２】
位置検出器２３０は、振動枠２１０に固定されたホール素子と、ブレ補正レンズ群保持枠１３０に固定されたマグネットとを備え、振動枠２１０のブレ補正レンズ群保持枠１３０に対する変位に起因してホール素子が検出する磁界の強さの変化に基づいて、ブレ補正レンズ群保持枠１３０に対する振動枠２１０の位置を検出するものである。
位置検出器２３０Ｐは、通常撮影時におけるＶＣＭ２２０Ｙの上側の領域に配置されている。
位置検出器２３０Ｙは、ＶＣＭ２２０Ｙに対して光軸Ｉを挟んだ反対側の領域に配置されている。
【００３３】
ＦＰＣ２５０は、固定筒１５０と振動枠２１０とにわたして形成され、ＶＣＭ２２０のコイル２２１への電力供給や、位置検出器２３０のホール素子の出力信号の伝達を行うものである。
【００３４】
次に、本実施例のレンズ鏡筒１００が撮影状態から収納状態に移行する際の動作について説明する。
図４は、レンズ鏡筒１００の撮影状態から収納状態への移行中の状態を示す横断面図である。
先ず、レンズ鏡筒１００は、第１カム筒１６０及び第２カム筒１７０を回転駆動して、第１レンズ群筒１１０及び第２レンズ群保持枠１２０を光軸Ｉ方向像側に移動させる。
そして、第１レンズ群筒１１０の移動と連動して、第１レンズ群筒１１０に固定されたガイド部材１１１は、第１レンズ群Ｌ１と第３レンズ群Ｌ３との間隔が撮影状態における最小値よりも小さい状態において、ブレ補正ユニット２００の振動枠２１０に形成された凹部２１０ａに挿入される。
【００３５】
上述したようにガイド部材１１１は、その先端部（光軸Ｉ方向像側）から基部側（第１レンズ群筒１１０側）にかけて徐々に太くなるテーパ状に形成され、その表面部が光軸Ｉに対して傾斜した斜面状に形成されていることから、振動枠２１０は、ガイド部材１１１の挿入深さが増すとともに、凹部２１０ａの内面とガイド部材１１１が摺動することによって光軸Ｉと直交する面内で変位し、最終的にはブレ補正レンズ群Ｌ３の光軸が他のレンズ群の光軸と略一致した状態（センタリングされた状態）に拘束される（図４）。
【００３６】
そして、ブレ補正レンズ群Ｌ３が上述したようにセンタリングされた状態に拘束された後、さらに第１カム筒１６０を回転駆動することによって、ブレ補正レンズ群保持枠１３０が光軸Ｉ方向像側に移動を開始する。この移動によって、ＣＣＤ台１９０に固定されたピン３３は、ブレ補正レンズ群室３０のカム面部３４を押圧する。
【００３７】
図５は、レンズ鏡筒１００の収納状態を示す横断面図である。また、図６は、収納状態におけるレンズ鏡筒１００を、光軸を含む平面で切って見た断面図である。
ブレ補正レンズ群Ｌ３は、図５に示すように、ブレ補正レンズ群室３０のカム面部３４が押圧されることによって、他のレンズ群の光軸Ｉ上から退避する。
レンズ鏡筒１００は、ブレ補正レンズ群Ｌ３の退避終了後、第１レンズ群筒１１０、第２レンズ群保持枠１２０、ブレ補正レンズ群保持枠１３０をさらに光軸Ｉ方向像側に移動させて、図６に示すように、第４レンズ群Ｌ４と光軸Ｉ上から退避したブレ補正レンズ群Ｌ３とが光軸Ｉ方向において重なって配置された状態となる。
【００３８】
図７は、上述したレンズ鏡筒１００を含むカメラシステム１の構成を示す図である。
カメラシステム１は、上述したレンズ鏡筒１００に加えて、制御回路３１０、メモリ３２０を備えている。
制御回路３１０は、ＣＣＤ６０、ＶＣＭ２２０、位置検出器２３０をそれぞれ制御するＭＰＵを備え、カメラシステム１を総括的に制御して、公知の露光制御、画像処理、ＡＦ制御、ブレ補正制御等を行うものである。
メモリ３２０は、ブレ補正レンズ群Ｌ３を光軸Ｉと直交する面内で駆動する際の基準位置の補正情報を保持するものであって、制御回路３１０は、この補正情報に基づいてブレ補正制御におけるブレ補正レンズ群Ｌ３のセンター位置を設定するようになっている。この補正情報の生成方法については、後に詳しく説明する。
これらの制御回路３１０、メモリ３２０は、レンズ鏡筒１００が装着される図示しないカメラボディ内に収容されている。
【００３９】
次に、カメラシステム１におけるレンズ鏡筒１００の調整方法（補正情報の生成方法）について説明する。
先ず、レンズ鏡筒１００の対物側に被写体であるテストチャートを配置し、レンズ鏡筒１００が結像するテストチャートの被写体像をＣＣＤ６０によって撮像する。
図８は、テストチャートの例を示す図である。
テストチャートは、例えば、図８（ａ）に示すように、ＣＣＤ６０によって撮像される画像の画角に対応して形成された矩形のシート４１０の中心部に、点状のマーキング４１１を設けたものである。
また、テストチャートは、例えば図８（ｂ）に示すように、シート４１０と同様のシート４２０の中心部及び周辺部に、点状のマーキング４２１を分布させたものであってもよい。
【００４０】
ここで、レンズ鏡筒１００の各レンズ群それぞれの光軸Ｉに対する偏心が小さい場合は、テストチャートの中心部に設けられたマーキング４１１，４２１の像は、画像上において中心部に位置しかつ変形（崩れ）のない良好な状態となっている。
また、テストチャートの周辺部に設けられたマーキング４２１は、変形や流れが無視しうる程度に小さい像となる。
これに対し、一部のレンズ群が光軸Ｉに対して偏心していると、テストチャートの中心部のマーキング４１１，４２１の像の位置が画像の中心部に対してずれたり、その像の変形が発生するとともに、周辺部のマーキング４２１の像に変形や流れが生じる。
【００４１】
制御回路３１０は、ＶＣＭ２２０に対して制御信号を出力し、ブレ補正レンズ群Ｌ３を光軸と直交する面内においてシフト変位させながら、ＣＣＤ６０が出力する画像信号を逐次評価し、最良の評価が得られるブレ補正レンズ群Ｌ３の位置を検出する。
そして、制御回路３１０は、最良の評価が得られたブレ補正レンズ群Ｌ３の位置に関する情報を、ブレ補正レンズ群Ｌ３の基準位置に関する情報である補正情報としてメモリ３２０に記録し、レンズ鏡筒１００の調整を完了する。
【００４２】
上述した補正情報は、ブレ補正レンズ群Ｌ３の初期状態（調整前の状態）におけるセンター位置に対する上述した位置の方向及び距離を含む情報であって、例えば、この位置をＸ方向（ピッチング方向）、Ｙ方向（ヨーイング方向）それぞれの座標によって示した情報を含む。
そして、カメラシステム１の使用時において、制御部３１０は、補正情報に基づいて得られた位置をセンター位置（基準位置）として用いて、ブレ補正制御を行う。
【００４３】
以上のように、実施例１によれば、レンズ鏡筒１００の性能が最良となるブレ補正レンズ群Ｌ３の位置に基づいて、ブレ補正レンズ群Ｌ３の基準位置の補正情報を生成し、この補正情報によって上述した位置をブレ補正制御におけるブレ補正レンズ群Ｌ３のセンター位置（センタリングされた状態における位置）として用いているから、ブレ補正ユニット２００をブレ補正レンズ群Ｌ３の芯出しを行う調心機構部としても利用することができ、専用の調心機構部を設ける必要がなく、簡単な構造によってレンズ鏡筒１００の調整を行うことができる。
【実施例２】
【００４４】
次に、本発明の実施例２であるレンズ鏡筒調整装置及びこれを用いたレンズ鏡筒調整方法について説明する。ここで、調整対象となるレンズ鏡筒は上述した実施例１と同様のものである。
この調整は、例えば、カメラシステムの製造工程において、レンズ鏡筒１００を組み立てた後に、これをカメラボディに装着する前に行われるものであって、ＣＣＤ６０を取り外した状態のレンズ鏡筒１００を、以下説明する調整装置５００に装着して行われる。
【００４５】
図９は、ＣＣＤ６０を取り外したレンズ鏡筒１００を調整装置５００に装着した状態を示す図である。
調整装置５００は、ＣＣＤ５１０、制御回路５２０、レーザ照射装置５３０を備えている。
ＣＣＤ５１０は、レンズ鏡筒１００においてＣＣＤ６０が装着される箇所に、このＣＣＤ６０に代えて装着される固体撮像素子である。
制御回路５２０は、ＣＣＤ５１０と、レンズ鏡筒１００側のＶＣＭ２２０、位置検出器２３０とをそれぞれ制御するＭＰＵを備え、ＶＣＭ２２０を制御してブレ補正レンズ群Ｌ３をシフト駆動しながら、ＣＣＤ５１０が出力する画像信号を評価して補正情報を生成する機能を備えている。この補正情報の生成方法については後に詳しく説明する。
レーザ照射装置５３０は、制御回路５２０が生成した補正情報に基づいて、後述するフレキシブルプリント基板（ＦＰＣ）６００上に形成された配線を切断し、この切断パターンによってＦＰＣに補正情報を記録する記録部である。
【００４６】
以下、上述した調整装置５００を用いたレンズ鏡筒１００の調整方法について説明する。
先ず、ＣＣＤ６０を取り外したレンズ鏡筒１００を図９に示すように調整装置５００に装着するとともに、レンズ鏡筒１００の対物側に被写体であるテストチャートを配置し、レンズ鏡筒１００が結像するテストチャートの被写体像をＣＣＤ５１０によって撮像する。
そして、制御回路５２０は、実施例１における制御回路３１０と同様に、ブレ補正レンズ群Ｌ３をシフト変位させながら、ＣＣＤ５１０が出力する画像信号の評価を行い、最良の評価が得られるブレ補正レンズ群Ｌ３の位置を検出して補正情報を生成し、この補正情報をレーザ照射装置５３０に出力する。
【００４７】
図１０は、レーザ照射装置５３０によって補正情報が記録される記録媒体であるＦＰＣ６００を示す図であって、図１０（ａ）、図１０（ｂ）はそれぞれ記録前、記録後の状態を示している。
ＦＰＣ６００は、基材部６１０、配線部６２０を備えている。
基材部６１０は、絶縁性及び可撓性を有する材料によってシート状に形成されている。
配線部６２０は、基材部６１０の表面に例えば金属等の導電性を有する材料の薄膜としてエッチング等によって形成され、基材部６１０の端縁部に配列された例えば９つの接点部Ｃ０〜Ｃ８と、これらの接点部Ｃ０〜Ｃ８を相互に導通させるランド部６２１とを備えている。
そして、接点部Ｃ１〜Ｃ４、及び、接点部Ｃ５〜Ｃ８は、その接点部Ｃ０との導通の有無によって、Ｘ方向、Ｙ方向の補正情報をそれぞれ４ビットの情報として記録するものである。
【００４８】
レーザ照射装置５３０は、ランド部６２１のうち所定の接点部に対応する箇所を、レーザを用いて切断することによって、各接点部の導通可否を設定するものである。
例えば、図１０（ｂ）は、接点部Ｃ１，Ｃ３，Ｃ５，Ｃ６を非導通状態とし、他の接点部Ｃ２，Ｃ４，Ｃ７，Ｃ８を導通状態としたものを示している。
処理後のＦＰＣ６００は、レンズ鏡筒１００の所定の外表面部に貼付される。そして、カメラボディ側には、レンズ鏡筒１００を装着した際に、これらの接点部Ｃ０〜Ｃ８とそれぞれ導通する図示しない接点部を有する図示しない読取装置が設けられ、各接点部の導通状態を検出することによって、カメラシステム１の生産ライン等における組立時に、各レンズ鏡筒１００固有の補正情報を、制御回路３１０側に自動的に伝達できるようになっている。そして、制御回路３１０は、この補正情報に基づいてブレ補正制御を行う。
【００４９】
以上のように、実施例２によれば、上述した実施例１と同様の効果に加えて、レンズ鏡筒１００の調整時に生成した補正情報を、カメラボディ側の読取装置によって読み取りが可能なＦＰＣ６００に記録したから、カメラシステム１の組立工程において、レンズ鏡筒１００をカメラボディに装着した際に、補正情報が自動的にカメラボディ側に伝達されるから、カメラシステムの組立工程が簡素化される。
【００５０】
（変形例）
本発明は、以上説明した各実施例に限定されることなく、種々の変形や変更が可能であって、それらも本発明の均等の範囲内である。
（１）各実施例は、ブレ補正光学系と退避光学系とが重複している場合を示したが、本発明はこれに限らず、例えばブレ補正光学系と退避光学系とが独立しているものや、退避光学系の一部のみがブレ補正光学系となっているものに対しても適用することができる。例えば、４群構成のレンズにおいて、第２レンズ群をブレ補正レンズ群とし、第３レンズ群を退避させるようにしてもよい。
この場合であっても、光学系全体の性能が最適化されるようにブレ補正光学系の基準位置を設定することによって、退避光学系の芯ズレに起因する画質の劣化を防止することができる。
（２）実施例２は、記録部としてレーザ照射装置によってランド部を切断可能なＦＰＣを用いているがこれに限らず、他の記録手段を用いてもよい。例えば、図１１に示す２次元バーコード７００を用いてもよい。この場合、レンズ鏡筒調整装置は、実施例２のレーザ照射装置に代えて、補正情報を含む２次元バーコードを印刷するプリンタを備え、印刷されたプリンタをレンズ鏡筒１００に貼付するようにしてもよい。この場合、レンズ鏡筒をカメラシステムに組み込む際は、２次元バーコードに記録された補正情報をバーコードリーダによって読み取り、この補正情報を、メモリの読み書きが可能な公知の出入力装置によってカメラシステム内に設けられたメモリに入力する。
さらに、レンズ鏡筒に例えばセリアル番号等の個体識別情報が設けられる場合は、レンズ鏡筒の調整工程において、この個体識別情報と補正情報とを関連付けたデータを記録し、レンズ鏡筒のカメラシステムへの組み込み時にこのデータを検索して入力してもよい。
（３）各実施例は、レンズ鏡筒の外部（カメラボディ側）に設けられたメモリに補正情報を記録しているが、これに限らず、レンズ鏡筒内にこのようなメモリを装備してもよい。
（４）各実施例のレンズ鏡筒は、例えばレンズ非交換式のデジタルスチルカメラの撮影用レンズ鏡筒であったが、本発明はこれに限らず、例えばレンズ交換式カメラ、フィルムカメラ、ムービーカメラ等のレンズ鏡筒にも適用することができる。
【図面の簡単な説明】
【００５１】
【図１】本発明の実施例１であるカメラシステムにおけるレンズ鏡筒の実施例のワイド端側における撮影状態を示す断面図である。
【図２】図１のレンズ鏡筒のテレ側における撮影状態を示す断面図である。
【図３】図１のIII−III部矢視図である。
【図４】図1のレンズ鏡筒の撮影状態から収納状態へ移行中の状態を示す横断面図である。
【図５】図1のレンズ鏡筒の収納状態を示す横断面図である。
【図６】図１のレンズ鏡筒の収納状態を示す断面図である。
【図７】図１のレンズ鏡筒を含むカメラシステムの実施例の構成を示す図である。
【図８】図１のレンズ鏡筒の調整に用いられるテストチャートの例を示す図である。
【図９】本発明の実施例２であるレンズ鏡筒調整装置の構成を示す図である。
【図１０】図２のレンズ鏡筒調整装置において補正情報が記録されるフレキシブルプリント基板を示す図である。
【図１１】補正情報を記録する記録部の他の例である２次元バーコードを示す図である。
【符号の説明】
【００５２】
Ｌ１  第１レンズ群、Ｌ２  第２レンズ群、Ｌ３  ブレ補正レンズ群、Ｌ４  第４レンズ群、６０  ＣＣＤ
２００  ブレ補正ユニット、２２０  ＶＣＭ、２３０  位置検出器
３１０  制御回路、３２０  メモリ、５００  調整装置、５１０  ＣＣＤ、５２０  制御回路、５３０  レーザ照射装置
【図１】
0004765639.tif 000002
【図２】
0004765639.tif 000003
【図３】
0004765639.tif 000004
【図４】
0004765639.tif 000005
【図５】
0004765639.tif 000006
【図６】
0004765639.tif 000007
【図７】
0004765639.tif 000008
【図８】
0004765639.tif 000009
【図９】
0004765639.tif 000010
【図１０】
0004765639.tif 000011
【図１１】
0004765639.tif 000012